【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
入射光を光電変換した電荷を蓄積する複数の画素からなる撮像素子を駆動することによって撮像を行う撮像手段と、
前記撮像手段で被写体に対する予備撮像を行うことによって得られた予備撮像データに基づき、前記撮像素子の各画素を、第１の領域を構成する画素と、該第１の領域よりも多い露光量を適用すべき第２の領域を構成する画素とのいずれかに分類する領域設定手段と、
前記第１の領域が前記第２の領域の側に拡張されるように前記分類を補正する領域補正手段と、
前記撮像素子の各画素に対し、前記領域補正手段で補正された分類に応じた露光量を設定する露光量設定手段と、を有し、
前記撮像手段は、前記露光量設定手段で設定された露光量に応じて前記撮像素子の各画素に対する駆動パルスを生成することによって、前記被写体に対する本撮像を行うことを特徴とする撮像装置。
【請求項２】
前記領域設定手段は、前記第１および第２の領域を示す領域マップを生成し、
前記領域補正手段は、前記領域マップにおいて、前記第２の領域を構成する画素のうち、前記第１の領域との境界にある画素の分類を、前記第１の領域を構成する画素に変更し、
前記露光量設定手段は、前記領域補正手段で補正された前記分類に基づいて、各画素の露光量を示す露光量マップを生成することを特徴とする請求項１に記載の撮像装置。
【請求項３】
前記撮像手段は前記予備撮像を行う際に、前記撮像素子の各画素に対し均一な駆動パルスを生成することを特徴とする請求項１または２に記載の撮像装置。
【請求項４】
さらに、前記第１および第２の領域の境界輝度を設定する境界輝度設定手段を有し、
前記領域設定手段は、前記予備撮像データにおける各画素の輝度を前記境界輝度を閾値として２値化して得られるデータに従って、前記撮像素子の各画素を前記第１および第２の領域を構成する画素のいずれかに分類することを特徴とする請求項１乃至３のいずれか１項に記載の撮像装置。
【請求項５】
前記露光量設定手段は、前記第１および第２の領域のそれぞれに対応するシャッタースピードを設定し、
前記撮像手段は、該設定されたシャッタースピードに基づいて、前記撮像素子の各画素に対する駆動パルスを生成することを特徴とする請求項２乃至４のいずれか１項に記載の撮像装置。
【請求項６】
さらに、前記撮像手段で前記本撮像によって得られた本撮像データに対し、前記シャッタースピードに基づいてゲイン補正を行うゲイン演算手段を有することを特徴とする請求項５に記載の撮像装置。
【請求項７】
前記撮像手段は、前記予備撮像データにおいて予め定められた値よりも画素値が大きい画素が存在する場合に、前記予備撮像を撮像条件を変えて再度行うことを特徴とする請求項１乃至６のいずれか１項に記載の撮像装置。
【請求項８】
前記撮像素子はＣＭＯＳセンサであることを特徴とする請求項１乃至７のいずれか１項に記載の撮像装置。
【請求項９】
前記撮像手段は前記本撮像を行う際に、前記撮像素子の各画素に対する駆動パルスとして、リセットパルスと行転送パルス、および列転送パルスを生成し、
前記撮像素子の１行内の各画素に対し、前記列転送パルスによって２種類の列転送タイミングのうち前記分類に従う一方を与えることを特徴とする請求項８に記載の撮像装置。
【請求項１０】
前記撮像手段は前記本撮像を行う際に、前記撮像素子の各画素に対する駆動パルスとして、リセットパルスと行転送パルス、および列転送パルスを生成し、
前記リセットパルスと前記行転送パルスによって前記第２の領域を構成する画素にリセットタイミングを与え、前記リセットパルスと前記列転送パルスによって前記第１の領域を構成する画素にリセットタイミングを与えることを特徴とする請求項８に記載の撮像装置。
【請求項１１】
前記撮像手段は前記本撮像を行う際に、前記撮像素子の各画素に対する駆動パルスとして、行リセットパルスと列リセットパルス、および行転送パルスを生成し、
前記行リセットパルスと前記行転送パルスによって前記第２の領域を構成する画素にリセットタイミングを与え、前記列リセットパルスと前記行転送パルスによって前記第１の領域を構成する画素にリセットタイミングを与えることを特徴とする請求項８に記載の撮像装置。
【請求項１２】
入射光を光電変換した電荷を蓄積する複数の画素からなる撮像素子を駆動することによって撮像を行う撮像装置が行う撮像制御方法であって、
前記撮像装置が、被写体に対する予備撮像を行って予備撮像データを取得する予備撮像ステップと、
領域設定手段が、前記予備撮像データに基づき、前記撮像素子の各画素を、第１の領域を構成する画素と、該第１の領域よりも多い露光量を適用すべき第２の領域を構成する画素とのいずれかに分類する領域設定ステップと、
領域補正手段が、前記第１の領域が前記第２の領域の側に拡張されるように前記分類を補正する領域補正ステップと、
露光量設定手段が、前記撮像素子の各画素に対し、前記領域補正ステップにおいて補正された分類に応じた露光量を設定する露光量設定ステップと、
前記撮像装置が、前記露光量設定ステップにおいて設定された露光量に応じて前記撮像素子の各画素に対する駆動パルスを生成することによって、前記被写体に対する本撮像を行う本撮像ステップと、
を有することを特徴とする撮像制御方法。
【請求項１３】
前記領域設定ステップにおいては、前記第１および第２の領域を示す領域マップを生成し、
前記領域補正ステップにおいては、前記領域マップにおいて、前記第２の領域を構成する画素のうち、前記第１の領域との境界にある画素の分類を、前記第１の領域を構成する画素に補正し、
前記露光量設定ステップにおいては、前記領域補正ステップにおいて補正された前記分類に基づいて、各画素の露光量を示す露光量マップを生成することを特徴とする請求項１２に記載の撮像制御方法。
【請求項１４】
入射光を光電変換した電荷を蓄積する複数の画素からなる撮像素子を駆動することによって撮像を行う撮像手段と、プロセッサとを備える撮像装置に、
被写体に対する予備撮像を行って予備撮像データを取得する予備撮像ステップと、
前記予備撮像データに基づき、前記撮像素子の各画素を、第１の領域を構成する画素と、該第１の領域よりも多い露光量を適用すべき第２の領域を構成する画素とのいずれかに分類する領域設定ステップと、
前記第１の領域が前記第２の領域の側に拡張されるように前記分類を補正する領域補正ステップと、
前記撮像素子の各画素に対し、前記領域補正ステップにおいて補正された分類に応じた露光量を設定する露光量設定ステップと、
前記露光量設定ステップにおいて設定された露光量に応じて前記撮像素子の各画素に対する駆動パルスを生成することによって、前記被写体に対する本撮像を行う本撮像ステップと、
を実行させるためのプログラム。
【手続補正２】
【補正対象書類名】明細書
【補正対象項目名】００１５
【補正方法】変更
【補正の内容】
【００１５】
すなわち、入射光を光電変換した電荷を蓄積する複数の画素からなる撮像素子を駆動することによって撮像を行う撮像手段と、前記撮像手段で被写体に対する予備撮像を行うことによって得られた予備撮像データに基づき、前記撮像素子の各画素を、第１の領域を構成する画素と、該第１の領域よりも多い露光量を適用すべき第２の領域を構成する画素とのいずれかに分類する領域設定手段と、前記第１の領域が前記第２の領域の側に拡張されるように前記分類を補正する領域補正手段と、前記撮像素子の各画素に対し、前記領域補正手段で補正された分類に応じた露光量を設定する露光量設定手段と、を有し、前記撮像手段は、前記露光量設定手段で設定された露光量に応じて前記撮像素子の各画素に対する駆動パルスを生成することによって、前記被写体に対する本撮像を行うことを特徴とする。